(57)【特許請求の範囲】
【請求項１】
半導体素子と、
前記半導体素子を搭載する第１の面と、前記第１の面とは反対側の第２の面とを有するリードフレームと、
前記リードフレームの前記第２の面に設けられた金属ブロックと、
前記リードフレームとは反対側で前記金属ブロックに設けられた絶縁層と、
前記リードフレームの前記第２の面と前記金属ブロックとの間に介在し、前記絶縁層よりも熱伝導が良好な接合材と
を備え、
前記半導体素子は、複数備えられ、
前記金属ブロックは、前記半導体素子間の絶縁単位ごとに分離し、かつ少なくとも一つの前記半導体素子に対応して設けられる、半導体装置。
【請求項２】
半導体素子と、
前記半導体素子を搭載する第１の面と、前記第１の面とは反対側の第２の面とを有するリードフレームと、
前記リードフレームの前記第２の面に設けられた金属ブロックと、
前記リードフレームとは反対側で前記金属ブロックに設けられた絶縁層と、
前記リードフレームの前記第２の面と前記金属ブロックとの間に介在し、前記絶縁層よりも熱伝導が良好な接合材と、
前記絶縁層を露出させつつ、前記半導体素子，前記リードフレーム及び前記金属ブロックを封止する樹脂パッケージと
を備え、
前記絶縁層は、前記樹脂パッケージよりも熱伝導が良好な、半導体装置。
【請求項３】
前記絶縁層は、前記樹脂パッケージと同系の基剤と、セラミック粉末とを含む、請求項２に記載の半導体装置。
【請求項４】
前記金属ブロックは、前記接合材よりも広い面を前記接合材と反対側に有する、請求項１乃至請求項３のいずれか一つに記載の半導体装置。
【請求項５】
前記金属ブロックの前記リードフレーム側の主面は第１の面及び第２の面を含み、
前記第１の面は、前記第２の面よりも前記リードフレーム側に位置しており、
前記接合材は、前記リードフレームと前記金属ブロックの前記第１の面との間に介在する、請求項１乃至請求項４のいずれか一つに記載の半導体装置。
【請求項６】
前記リードフレームは第１の部分と第２の部分からなり、
前記第２の部分は前記金属ブロックとの間に絶縁空間を形成する、請求項１乃至請求項５のいずれか一つに記載の半導体装置。
【請求項７】
（ａ）半導体素子を準備する工程と、
（ｂ）第１の樹脂を半硬化で準備する工程と、
（ｃ）第１の面と前記第１の面とは反対側に第２の面とを有するリードフレーム及び金属ブロックを準備する工程と、
（ｄ）前記工程（ａ）〜（ｃ）の後に、前記リードフレームの前記第１の面に前記半導体素子を搭載する工程と、
（ｅ）前記工程（ａ）〜（ｃ）の後に、前記リードフレームの前記第２の面に、前記第１の樹脂よりも熱伝導が良好な接合材を介在して金属ブロックを設ける工程と、
（ｆ）前記工程（ａ）〜（ｃ）の後に、前記リードフレームとは反対側で前記金属ブロックに前記第１の樹脂を設ける工程と、
（ｇ）前記工程（ｄ），（ｅ），（ｆ）の後に、前記第１の樹脂の一部を露出させつつ、前記半導体素子、前記第１の樹脂、前記リードフレーム及び前記金属ブロックを、第２の樹脂で覆う工程と、
（ｈ）前記工程（ｇ）の後に、前記第１の樹脂と前記第２の樹脂とを同時に硬化させる工程と
を備える半導体装置の製造方法。
【請求項８】
前記第１の樹脂は、前記第２の樹脂と同系の基剤と、セラミック粉末とを含む、請求項７に記載の半導体装置の製造方法。
【発明の詳細な説明】
【０００１】
【発明の属する技術分野】
この発明は、半導体装置の構造、特に電力制御用に使用される電力用半導体装置の構造とその製造方法に関する。
【０００２】
【従来の技術】
図８は、第１の従来技術における電力用半導体装置の構造を模式的に示す断面図である。図８のように、第１の従来技術における電力用半導体装置は、パワー素子１，金属薄板より成形されているリードフレーム２，放熱用ヒートシンクとして機能する金属ブロック５及び樹脂パッケージ６を備えている。
【０００３】
リードフレーム２は、ダイパッド部３とインナーリード部４とを有しており、パワー素子１はダイパッド部３に半田９で接合されている。また、パワー素子１に形成されている電極（図示せず）は、リードフレーム２のインナーリード部４にアルミワイヤ８によって接続されている。金属ブロック５は、その略中央部に凸部を有しており、その凸部がリードフレーム２のパワー素子１とは反対側の面と所定距離を成して、パワー素子１と対向するように配置されている。そして、樹脂パッケージ６は、金属ブロック５のリードフレーム２とは反対側の面を露出させつつ、パワー素子１，リードフレーム２及び金属ブロック５を封止している。そして、金属ブロック５の露出部分に外部放熱器１１が取り付けられている。ここで、金属ブロック５の凸部とリードフレーム２との間に形成されている樹脂パッケージ６を樹脂絶縁層２７と呼ぶ。
【０００４】
なお、ダイパッド部３上には、パワー素子１以外にも、パワー素子１の制御回路を形成するための素子が形成される場合もある。
【０００５】
図９は第２の従来技術における電力用半導体装置の構造を模式的に示す断面図であり、図１０は、図９中の部分Ｂを拡大して示す断面図である。かかる構造は、例えば特開平１０−９３０１５号公報に開示されている。図９，図１０に示されるように、第２の従来技術における電力用半導体装置は、パワー素子１，ダイオード１２，熱拡散板１５，リードフレーム２，絶縁層３７，ヒートシンク２５及び樹脂パッケージ６を備えている。
【０００６】
パワー素子１は、銅で構成されている熱拡散板１５に半田９で接合されている。熱拡散板１５のパワー素子１と反対側の面は、銅製リードフレーム２のダイパッド部３に半田９で接合されている。そして、リードフレーム２の熱拡散板１５と反対側の面は、絶縁層３７によって銅製のヒートシンク２５に固着されている。製造工程では、予めリードフレーム２をヒートシンク２５に固着し、パワー素子１を接合した熱拡散板１５を、そのリードフレーム２のダイパッド部３に接合している。ダイオード１２は、パワー素子１ほど発熱しないため、熱拡散板１５を介さずに直接リードフレーム２に半田９で接合されている。また、パワー素子１に形成されている電極（図示せず）は、アルミワイヤ８によってリードフレーム２のインナーリード部４に接続されている。そして、樹脂パッケージ６は、ヒートシンク２５のリードフレーム２とは反対側の面を露出させつつ、パワー素子１，ダイオード１２，リードフレーム２及び熱拡散板１５を封止している。
【０００７】
【発明が解決しようとする課題】
第１の従来技術における電力半導体装置では、パワー素子１で発生した熱は、リードフレーム２，樹脂絶縁層２７，金属ブロック５を通って、外部放熱器１１から外部に放出される。金属ブロック５及び外部放熱器１１は、アルミニウムあるいは銅材から成り、その熱伝導率はそれぞれ約２３０Ｗ／ｍＫ、約３９０Ｗ／ｍＫである。リードフレーム２も銅材などの金属から形成されるため、金属ブロック５及び外部放熱器１１と同様の熱伝導率を有している。そして、樹脂絶縁層２７を形成する樹脂の熱伝導率は１〜３Ｗ／ｍＫである。このように、樹脂絶縁層２７は、その熱伝導率がその他の材料の約１／１００であって、熱伝導の主たる阻害要因となっている。
【０００８】
半導体装置の放熱特性は、熱が通過する材料の厚さや熱伝導性、および熱が材料を通過する面積などで決定される。第１の従来技術における電力半導体装置において、樹脂絶縁層２７の厚みを薄くして、熱が通過する熱伝導の悪い部分を抑えることで放熱特性を改善することができる。しかし、樹脂絶縁層２７には数千Ｖの絶縁耐圧が必要であるため、その厚みは０．５ｍｍ前後が限界であり、放熱特性の改善にも限界を生じている。
【０００９】
また、樹脂絶縁層２７を形成する樹脂の充填材として高熱伝導率を持つセラミック粉末、例えば窒化アルミニウム，窒化ケイ素などの粉末を使用し、充填率を高くすることによって、樹脂絶縁層２７の熱伝導率を約５Ｗ／ｍＫまでに向上させることができる。しかし、樹脂絶縁層２７は樹脂パッケージ６の一部であるため、樹脂絶縁層２７以外の部分、つまり高熱伝導率を必要としない部分にまで、セラミック粉末を充填した樹脂を使用することになるため、価格の高い樹脂を無駄に使用することになる。その結果、半導体装置の材料コストが増加する。
【００１０】
パワー素子１で発生した熱は、まずリードフレーム２を通過して、樹脂絶縁層２７を通過する。一般的にリードフレーム２は、加工の問題などで、金属ブロック５などのようにその厚みを厚くすることができないため、金属ブロック５などと比べて熱拡散効果が小さい。そのため、樹脂絶縁層２７を熱が通過する面積を十分に広げることが困難であり、このことが放熱特性の改善を制限する原因の一つにもなっていた。
【００１１】
第２の従来技術における電力用半導体装置では、パワー素子１と絶縁層３７との間に、リードフレーム２と熱拡散板１５とが介在しているため、パワー素子１で発生した熱を熱拡散板１５でその厚さ方向と垂直な水平方向に拡散し、絶縁層３７を熱が通過する面積を広げている。しかし、熱拡散板１５はパワー素子１とリードフレーム２との間に位置しており、放熱特性の改善のために水平方向の寸法を大きくすると、パワー素子１とリードフレーム２とを接続するアルミワイヤ８の配線が困難になるという問題があった。また、熱拡散板１５を厚くすると、アルミワイヤ８の配線長が長くなり電力損失が増加するという問題もあった。
【００１２】
また、熱伝導率を向上するために、絶縁層３７のみに、セラミック材を充填した樹脂を使用することがある。つまり、樹脂パッケージ６と絶縁層３７とで使用される樹脂が異なる場合がある。このとき、リードフレーム２とヒートシンク２５とが接合された後、つまり絶縁層３７が硬化した後に、樹脂パッケージ６が形成されると、樹脂パッケージ６と絶縁層３７との界面で剥離が起こりやすく、リードフレーム２とヒートシンク２５との間の絶縁耐圧が低下するという問題があった。
【００１３】
そこで、本発明は上述のような問題を解決するためになされたものであり、放熱特性と絶縁耐圧とのいずれも良好な半導体装置およびその製造方法を提供することを目的とする。
【００１４】
【課題を解決するための手段】
この発明のうち請求項１に記載の半導体装置は、半導体素子と、前記半導体素子を搭載する第１の面と、前記第１の面とは反対側の第２の面とを有するリードフレームと、前記リードフレームの前記第２の面に設けられた金属ブロックと、前記リードフレームとは反対側で前記金属ブロックに設けられた絶縁層と、前記リードフレームの前記第２の面と前記金属ブロックとの間に介在し、前記絶縁層よりも熱伝導が良好な接合材とを備え、前記半導体素子は、複数備えられ、前記金属ブロックは、前記半導体素子間の絶縁単位ごとに分離し、かつ少なくとも一つの前記半導体素子に対応して設けられるものである。
【００１５】
また、この発明のうち請求項２に記載の半導体装置は、半導体素子と、前記半導体素子を搭載する第１の面と、前記第１の面とは反対側の第２の面とを有するリードフレームと、前記リードフレームの前記第２の面に設けられた金属ブロックと、前記リードフレームとは反対側で前記金属ブロックに設けられた絶縁層と、前記リードフレームの前記第２の面と前記金属ブロックとの間に介在し、前記絶縁層よりも熱伝導が良好な接合材と、前記絶縁層を露出させつつ、前記半導体素子，前記リードフレーム及び前記金属ブロックを封止する樹脂パッケージとを備え、前記絶縁層は、前記樹脂パッケージよりも熱伝導が良好なものである。
【００１６】
また、この発明のうち請求項３に記載の半導体装置は、請求項２に記載の半導体装置であって、前記絶縁層は、前記樹脂パッケージと同系の基剤と、セラミック粉末とを含むものである。
【００１７】
また、この発明のうち請求項４に記載の半導体装置は、請求項１乃至請求項３のいずれか一つに記載の半導体装置であって、前記金属ブロックは、前記接合材よりも広い面を前記接合材と反対側に有するものである。
【００１８】
また、この発明のうち請求項５に記載の半導体装置は、請求項１乃至請求項４のいずれか一つに記載の半導体装置であって、前記金属ブロックの前記リードフレーム側の主面は第１の面及び第２の面を含み、前記第１の面は、前記第２の面よりも前記リードフレーム側に位置しており、前記接合材は、前記リードフレームと前記金属ブロックの前記第１の面との間に介在するものである。
【００１９】
また、この発明のうち請求項６に記載の半導体装置は、請求項１乃至請求項５のいずれか一つに記載の半導体装置であって、前記リードフレームは第１の部分と第２の部分からなり、前記第２の部分は前記金属ブロックとの間に絶縁空間を形成するものである。
【００２０】
また、この発明のうち請求項７に記載の半導体装置の製造方法は、（ａ）半導体素子を準備する工程と、（ｂ）第１の樹脂を半硬化で準備する工程と、（ｃ）第１の面と前記第１の面とは反対側に第２の面とを有するリードフレーム及び金属ブロックを準備する工程と、（ｄ）前記工程（ａ）〜（ｃ）の後に、前記リードフレームの前記第１の面に前記半導体素子を搭載する工程と、（ｅ）前記工程（ａ）〜（ｃ）の後に、前記リードフレームの前記第２の面に、前記第１の樹脂よりも熱伝導が良好な接合材を介在して金属ブロックを設ける工程と、（ｆ）前記工程（ａ）〜（ｃ）の後に、前記リードフレームとは反対側で前記金属ブロックに前記第１の樹脂を設ける工程と、（ｇ）前記工程（ｄ），（ｅ），（ｆ）の後に、前記第１の樹脂を露出させつつ、前記半導体素子、前記第１の樹脂の一部、前記リードフレーム及び前記金属ブロックを、第２の樹脂で覆う工程と、（ｈ）前記工程（ｇ）の後に、前記第１の樹脂と前記第２の樹脂とを同時に硬化させる工程とを備えるものである。
【００２１】
また、この発明のうち請求項８に記載の半導体装置の製造方法は、請求項７に記載の半導体装置の製造方法であって、前記第１の樹脂は、前記第２の樹脂と同系の基剤と、セラミック粉末とを含むものである。
【００２５】
【発明の実施の形態】
実施の形態１．
図１は、本実施の形態１に係る半導体装置の構造を模式的に示す断面図である。図１のように、本実施の形態１に係る半導体装置は、パワー素子１，リードフレーム２ａ，２ｂ，金属ブロック５及び樹脂パッケージ６を備えている。
【００２６】
リードフレーム２ａ，２ｂは、熱伝導性の良好な金属、例えば銅合金の薄板から成形されている。リードフレーム２ａはダイパッド部３とインナーリード部４とを有しており、リードフレーム２ｂはインナーリード部４を有している。パワー素子１は両面に電極（図示せず）を有しており、その一方の面の電極がリードフレーム２ａと接するように、リードフレーム２ａのダイパッド部３に搭載され、半田９でダイパッド部３と接合されている。パワー素子１の他方の面の電極は、リードフレーム２ｂのインナーリード部４とアルミワイヤ８によって接続されている。リードフレーム２ａ，２ｂは分離されており、パワー素子１の両面に形成されている電極間は絶縁されている。
【００２７】
金属ブロック５は、例えばアルミニウムや銅などの材料から形成されており、パワー素子１とは反対側の面でリードフレーム２ａと接合材１０で接合されている。具体的には、金属ブロック５の一方の主面には、接合面５０と非接合面５１とを有しており、接合面５０及び非接合面５１がリードフレーム２ａと対向するように配置されている。接合面５０は、非接合面５１よりもパワー素子１側に位置しており、パワー素子１と対向するようにリードフレーム２ａに接合材１０で接合されている。言い換えれば、金属ブロック５はその表面に凸部を有しており、その凸部がパワー素子１と対向するようにリードフレーム２ａに接合されている。そして、金属ブロック５のリードフレーム２ａと反対側の面は、リードフレーム２ａとのパワー素子１の接合面よりも広くなっている。また、非接合面５１は、リードフレーム２ｂとの間で絶縁空間６０を形成している。
【００２８】
樹脂パッケージ６は、例えばエポキシ系樹脂が使用されており、リードフレーム２ａ，２ｂと反対側の面で金属ブロック５に絶縁層７を形成しつつ、パワー素子１，リードフレーム２ａ，２ｂ及び金属ブロック５を封止している。そして、外部放熱器１１が、金属ブロック５とは反対側の面で絶縁層７に取り付けられている。
【００２９】
上述の構造を備える本実施の形態１に係る半導体装置において、パワー素子１で発生した熱は、半田９，リードフレーム２ａ，接合材１０，金属ブロック５，絶縁層７を通って、外部放熱器１１から外部に放出される。接合材１０は、リードフレーム２ａと金属ブロック５との電気的絶縁性を確保する必要がないため、絶縁耐圧を考慮することなく、その材料を選択することができる。具体的には、外部放熱器１１に別の半導体装置が取り付けられた場合、半導体装置間の絶縁は、絶縁層７によって維持されるため、接合材１０は絶縁耐圧を考慮する必要はない。そのため、接合材１０は、絶縁層７よりも熱伝導の良好な材料、例えば半田などを使用することができる。その結果、パワー素子１で発生した熱は、リードフレーム２ａから金属ブロック５へと良好に伝導される。
【００３０】
また、接合材１０として樹脂接着剤を使用した場合であっても、接合材１０の厚みを、上述の第１の従来技術における樹脂絶縁層２７よりも薄くできる。具体的には、接合材１０の厚みを１０〜４０μｍに設定することができ、従来の樹脂絶縁層２７の厚みの約１／１０倍に低減することができる。また、例えば金属粉を充填材として混入した接着剤、つまり高熱伝導率の接着材を使用することができる。これらの結果、樹脂接着剤で構成された接合材１０は、従来の樹脂絶縁層２７よりも、その熱伝導率を５〜１０倍（５〜２０Ｗ／ｍＫ）に向上することができる。つまり、接合材１０として樹脂接着材を使用した場合であっても、パワー素子１で発生した熱を良好に金属ブロック５まで伝導することができる。
【００３１】
次に、熱伝導の主たる阻害要因となる絶縁層７を通過する熱について詳細に説明する。図２は、パワー素子１で発生した熱が伝導する様子を示した図であって、図２（ａ）は、上述の第１の従来技術における電力用半導体装置の熱伝導の様子を示しており、図２（ｂ）は、本実施の形態１に係る半導体装置の熱伝導の様子を示している。図２（ａ）の熱拡散方向３０で示すように、第１の従来技術では、パワー素子１で発生した熱はリードフレーム２で若干水平方向に拡散されるが、リードフレーム２の厚みが薄いため、十分な拡散が行われない。そのため、第１の従来技術において熱伝導の主たる阻害要因であった樹脂絶縁層２７を熱が通過する面積３２は、ほぼパワー素子１の面積と同じである。一方、図２（ｂ）の熱の拡散方向３１で示すように、本実施の形態１では、パワー素子１で発生した熱はリードフレーム２ａで若干水平方向に拡散され、さらに十分厚みを持つ金属ブロック５で拡散される。そのため、絶縁層７を熱が通過する面積３３は、パワー素子１の面積よりも十分大きい。つまり、本実施の形態１における熱の主たる阻害要因は、第１の従来技術におけるそれよりも小さい。
【００３２】
このように、本実施の形態１に係る半導体装置によれば、放熱特性が改善される。
【００３３】
また、金属ブロック５は、リードフレーム２ｂとの間に絶縁空間６０を形成しているため、パワー素子１のそれぞれの面の電極同士を絶縁しつつ金属ブロック５の寸法を半導体装置の外形近くまで広げることが可能となり、その結果、放熱特性を向上することができる。
【００３４】
また、第２の従来技術では、金属ブロック５の寸法がアルミワイヤ８配線に影響を与えていたが、金属ブロック５はパワー素子１とは反対側でリードフレーム２ａに接合されているため、アルミワイヤ８配線への影響を与えることなく、その寸法を決定することできる。
【００３５】
また、本実施の形態１では、従来に無い新しい半導体装置の構造を提案しているが、リードフレーム２ａと金属ブロック５との接合を樹脂パッケージ６の形成工程の直前に行うことにより、アルミワイヤ８配線までは従来と同じ工程及び装置で製造が可能であるため、新規の設備投資などを抑えることができる。
【００３６】
実施の形態２．
図３は本実施の形態２に係る半導体装置の回路図である。図３のように、本実施の形態２に係る半導体装置は、例えば三相インバータ回路で構成されている。具体的には、パワー素子１はＩＧＢＴ１ａと、ＩＧＢＴ１ａに逆並列接続されたダイオード１ｂとを備え、そのパワー素子１同士が直列接続されている。これをアームと呼ぶ。そして、本実施の形態２に係る半導体装置は、並列接続された３つのアームを備えている。
【００３７】
出力端子Ｕ，Ｖ，Ｗは例えば交流モータなどに接続され、入力端子Ｐ，Ｎは例えば直流電源が直接接続されたり、また商用電源から直流電圧を作る順変換回路の出力が接続されたりする。そして、制御端子ＧＵＰ，ＧＵＮ，ＧＶＰ，ＧＶＮ，ＧＷＰ，ＧＷＮを制御することによって各ＩＧＢＴをオン／オフし、交流モータの回転動作を制御する。
【００３８】
図４は、本実施の形態２に係る半導体装置の構造を模式的に示す平面図であって、図３の回路図で示された半導体装置の平面図である。そして、図５は、図４中の矢視Ａ−Ａにおける断面図であって、樹脂パッケージを形成した後の断面図である。
【００３９】
図４及び図５より、本実施の形態２に係る半導体装置は、パワー素子１，リードフレーム２，金属ブロック５，絶縁層１７及び樹脂パッケージ６を備えている。図４では、構造を容易に把握できるように樹脂パッケージ６を省略し、これが形成される領域１６を示している。
【００４０】
本実施の形態２に係る半導体装置は、上述の実施の形態１に係る半導体装置においてパワー素子１を複数備えたものであって、絶縁層１７が樹脂パッケージ６と異なる樹脂から構成されているものである。リードフレーム２及び金属ブロック５は、パワー素子１間で絶縁されている単位（絶縁単位）ごとに設けられており、各リードフレーム２のダイパッド部３にパワー素子１が搭載されている。そして、パワー素子１に形成されている電極（図示せず）は、リードフレーム２のインナーリード部４とアルミワイヤ８によって接続されている。各リードフレーム２はタイバー８０で接続されているが、このタイバー８０は樹脂パッケージ６の形成後に切断され、各リードフレーム２は分離される。
【００４１】
金属ブロック５は各リードフレームごとに設けられ、その表面に有する凸部がパワー素子１と対向するようにリードフレーム２に接合されている。
【００４２】
絶縁層１７は、リードフレーム２と反対側の面で金属ブロック５に形成されており、各金属ブロック５にまたがって形成されている。言い換えれば、一枚の絶縁層１７の上に、各金属ブロック５が搭載されている。絶縁層１７は、高熱伝導材料、例えばセラミック粉末を充填材として混入した樹脂で形成されている。セラミック粉末には、例えばシリカ，特に結晶性シリカ，アルミナ，窒化アルミニウム，窒化ケイ素，窒化ボロンなどがある。そして、樹脂パッケージ６は、絶縁層１７を露出させつつ、パワー素子１，リードフレーム２及び金属ブロック５を封止している。絶縁層１７の金属ブロック５と反対側、つまり露出している部分には、外部放熱器が取り付けられることがあるが、図５では記載を省略している。ここで図４において、Ｐ側のパワー素子１に対応する金属ブロック５は、Ｎ側の金属ブロック５のように各パワー素子１ごとに分離されても良い。つまり、金属ブロック５はパワー素子１間の絶縁単位ごとに設けられ、その絶縁単位の中では少なくとも一つのパワー素子１に対応した金属ブロック５が複数設けられても良い。
【００４３】
次に、樹脂パッケージ６の形成方法について説明する。図６は、本実施の形態２に係る半導体装置における樹脂パッケージ６の形成方法を示す図であって、例えばトランスファーモールドによって樹脂パッケージ６は形成される。トランスファーモールド装置１００は、プランジャ２０と金型２１，２２とを備えている。金型２１と金型２２とで形成されるキャビティ２３内には、パワー素子１及び金属ブロック５が接合されたリードフレーム２が準備されている。そして、キャビティ底面２４と金属ブロック５との間に絶縁層１７を配置する。例えば樹脂パッケージ６にエポキシ系樹脂が使用されている場合、同じエポキシ系の樹脂基剤（基剤とは、主剤と硬化剤とを含めたものである）に充填剤としてセラミック粉末を混入し、混練工程後の半硬化状、いわゆる「Ｂステージ」段階の樹脂が、絶縁層１７としてここでは準備されている。そして、タブレット状で準備された封止樹脂２６をプランジャ２０によって加圧することによって、溶融した封止樹脂２６がキャビティ２０内に充填される。その後、半硬化状の絶縁層１７と封止樹脂２６とを同時に硬化・成形することによって、樹脂パッケージ６が形成される。
【００４４】
このように、本実施の形態２に係る半導体装置によれば、金属ブロック５は、分離されたリードフレーム２ごとに設けられるため、パワー素子１間の絶縁を維持することができる。
【００４５】
また、絶縁層１７は、樹脂パッケージ６の一部ではなく別途に設けらているため、放熱特性に影響を与える絶縁層１７だけに、高熱伝導の樹脂を使用することができる。その結果、材料コストを低減することができる。
【００４６】
また、絶縁層１７と樹脂パッケージ６とを同時に硬化・成形するため、異なる樹脂の界面に生じる剥離を減少することができる。その結果、絶縁耐圧が向上する。
【００４７】
また、上述の実施の形態１に係る半導体装置では、樹脂パッケージ６に流動性が乏しい材料を使用した場合、絶縁層７の厚みが薄いため、絶縁層７にボイドが発生しやすい。本実施の形態２では、絶縁層１７を金属ブロック５の表面に配置したあとに樹脂パッケージ６を形成するため、絶縁層１７でのボイドの発生を低減することができる。その結果絶縁耐圧が向上する。また、絶縁層１７の厚みが安定するため放熱特性のばらつきを抑えることができる。
【００４８】
なお、絶縁層１７を金属ブロック５の表面に形成し硬化させた後に、樹脂パッケージ６を形成した半導体装置、あるいは金属ブロック５の表面を露出させつつ、樹脂パッケ−ジを形成し、その後に絶縁層１７を形成した半導体装置であっても、絶縁耐圧は低下するが、それ以外の上述の効果は得ることができる。
【００４９】
実施の形態３．
図７は、本実施の形態３に係る半導体装置の構造を模式的に示す断面図である。本実施の形態３に係る半導体装置は、上述の実施の形態１に係る半導体装置において、基本的にはリードフレーム２ａ，２ｂ及び金属ブロック５の形状を変形したものである。
【００５０】
パワー素子１は複数の電極（図示せず）を有しており、リードフレーム２ａ，２ｂはその電極間を絶縁するために分離されている。そして、パワー素子１は、リードフレーム２ａのダイパッド部３に搭載されており、パワー素子１のある電極は、リードフレーム２ａのインナーリード部４にアルミワイヤ８で接続されている。また、パワー素子１の別の電極は、パワー素子１が搭載されていないリードフレーム２ｂのインナーリード部４にアルミワイヤ８で接続されている。結果、パワー素子１のこれらの電極間は絶縁されている。
【００５１】
また、リードフレーム２ａのダイパッド部３において、パワー素子１とは反対側の面には、金属ブロック５との接合面５２を有している。そして、リードフレーム２ａのインナーリード部４において、アルミワイヤ８と接続されている面と反対側の面には、接合面５２よりもパワー素子１側に位置し、金属ブロック５との間で絶縁空間６１を形成している非接合面５３を有している。言い換えれば、リードフレーム２ａは、そのダイパッド部３が金属ブロック５側に沈められた形状をしており、その沈められた部分と金属ブロック５とが接合材１０で接合されている。その他の構造については、上述の実施の形態１に係る半導体装置と同様であるため、ここでは説明を省略する。
【００５２】
このように、本実施の形態３に係る半導体装置によれば、リードフレーム２ａ，２ｂは、そのダイパッド部３以外では、金属ブロック５との間に絶縁空間６１を形成しているため、金属ブロック５の寸法を半導体装置の外形近くまで広げることが可能となり、その結果、放熱特性を向上することができる。
【００５３】
また、上述の実施の形態１，２の半導体装置では、金属ブロック５に凸部を有しているため、リードフレーム２，２ａ，２ｂとの接合の際に、金属ブロック５の表裏，前後を確認する工程が必要であった。本実施の形態３では、リードフレーム２ａ，２ｂの形状を工夫し絶縁空間６１を維持しているため、直方体の金属ブロック５を使用することができる。そのため、リードフレーム２との接合時に、金属ブロック５の接合方向を揃える工程が不要になる。その結果、半導体装置の生産性を向上することができる。
【００５４】
【発明の効果】
この発明のうち請求項１に係る半導体装置によれば、発熱源である半導体素子から近い位置にある接合材において熱伝導を良好にするため、金属ブロックでの放熱が良好となる。また、絶縁層が金属ブロックに設けられているので、これに絶縁耐圧を担わせることができる。そのため、接合材は絶縁耐圧を考慮することなく熱伝導の観点からその材料を選択することができる。また、金属ブロックが半導体素子の絶縁単位ごとに分離されているため、半導体素子間の絶縁を維持しつつ複数の半導体素子を一つの半導体装置に備えることができる。
【００５５】
また、この発明のうち請求項２乃至請求項３に係る半導体装置によれば、発熱源である半導体素子から近い位置にある接合材において熱伝導を良好にするため、金属ブロックでの放熱が良好となる。また、絶縁層が金属ブロックに設けられているので、これに絶縁耐圧を担わせることができる。そのため、接合材は絶縁耐圧を考慮することなく熱伝導の観点からその材料を選択することができる。また、樹脂パッケージよりも熱伝導が良好な絶縁層を備えているため、樹脂パッケージと同一の材料で絶縁層を形成した半導体装置よりも、放熱特性を向上することができる。
【００５６】
また、この発明のうち請求項４に係る半導体装置によれば、金属ブロックが接合材よりも広い面を有してるため、半導体素子からの熱を拡散することができる。そのため、熱伝導の主たる阻害要因である絶縁層に、より広い面積の熱を通過させることができる。その結果、放熱特性が改善される。
【００５７】
また、この発明のうち請求項５乃至請求項６に係る半導体装置によれば、金属ブロックは、リードフレームとの間に絶縁空間を形成しているため、金属ブロックの寸法を半導体装置の外形近くまで広げることが可能となる。その結果、放熱特性を向上することができる。
【００５８】
また、この発明のうち請求項７乃至請求項８に係る半導体装置の製造方法によれば、絶縁層と樹脂パッケージとを同時に硬化するため、異なる樹脂の界面に生じる剥離を減少することができる。その結果、絶縁耐圧が向上する。また、絶縁層と樹脂パッケージとが分離されているため、放熱特性に影響を与える絶縁層だけに、高熱伝導の樹脂を使用することができる。その結果、材料コストを低減することができる。
【図面の簡単な説明】
【図１】  本実施の形態１に係る半導体装置の構造を模式的に示す断面図である。
【図２】  パワー素子１で発生した熱が伝導する様子を示した図である。
【図３】  本実施の形態２に係る半導体装置の回路図である。
【図４】  本実施の形態２に係る半導体装置の構造を模式的に示す平面図である。
【図５】  本実施の形態２に係る半導体装置の構造を模式的に示す断面図である。
【図６】  本実施の形態２における樹脂パッケージ６の形成方法を示す図である。
【図７】  本実施の形態３に係る半導体装置の構造を模式的に示す断面図である。
【図８】  第１の従来技術における電力用半導体装置の構造を模式的に示す断面図である。
【図９】  第２の従来技術における電力用半導体装置の構造を模式的に示す断面図である。
【図１０】  第２の従来技術における電力用半導体装置の構造の一部を拡大して示す断面図である。
【符号の説明】
１  パワー素子、２，２ａ，２ｂ  リードフレーム、５  金属ブロック、６  樹脂パッケージ、７，１７  絶縁層、１０  接合材、５０，５２  接合面、５１，５３  非接合面、６０，６１  絶縁空間。
【図１】
0004286465.tif 000002
【図２】
0004286465.tif 000003
【図３】
0004286465.tif 000004
【図４】
0004286465.tif 000005
【図５】
0004286465.tif 000006
【図６】
0004286465.tif 000007
【図７】
0004286465.tif 000008
【図８】
0004286465.tif 000009
【図９】
0004286465.tif 000010
【図１０】
0004286465.tif 000011